(57)【要約】【課題】無線サブスクライバーの技術間ハンドオフにおける消費電力を最小にする。【解決手段】技術間ハンドオフをトリガーする無線サブスクライバー・ユニットの方法及び装置の実施態様が開示される。一つの方法は、サービス基地局から受信した第１の技術通信信号の信号品質を評価することをインクルードする。隣接基地局の情報は、サービス基地局から受信される。隣接基地局の情報に基づいて、隣接基地局のそれぞれから受信した第１の技術通信信号の信号品質が評価される。技術間ハンドオフは、サービス基地局から受信した通信信号の信号品質及び各隣接基地局から受信した通信信号の信号品質の機能に基づいてトリガーされる。異なる無線通信技術を用いて通信を提供する無線通信をインクルードする無線サブスクライバーによって消費される電力の最小化を可能にする。【選択図】図６
2010035152.tif 000002
【特許請求の範囲】
【請求項１】
サービス基地局から受信した第１の技術通信信号の信号品質を評価するステップと、サービス基地局から隣接基地局の情報を受信するステップと、隣接基地局の情報に基いて、各隣接基地局から受信した第１の技術通信信号の信号品質を評価するステップ、及びサービス基地局から受信した通信信号の信号品質及び各隣接基地局から受信した通信信号の信号品質の機能に基いて、技術間ハンドオフトリガーするステップとを備える技術間ハンドオフをトリガーする無線サブスクライバー・ユニットの方法。
【請求項２】
サービス基地局から受信した通信信号の信号品質及び各隣接する基地局から受信した通信信号の信号品質の機能に基づいて、技術間ハンドオフをトリガ−するステップは、サービス基地局から受信した通信信号の信号品質及び各隣接基地局から受信した通信信号の信号品質の全てが、既定の基準値（閾値）を下回るならば、技術間ハンドオフをトリガーするステップを有する請求項１記載の方法。
【請求項３】
信号品質は、少なくともCINR (信号対干渉雑音比：carrier to interference and noise ratio)及びRSSI (受信信号強度インジケーター：received signal strength indicator)の一つを含む請求項１記載の方法。
【請求項４】
受信した通信信号は、多重搬送波信号であり、通信信号の評価された信号品質は、受信した通信信号の副搬送波のCINRの平均化をインクルードする請求項１記載の方法。
【請求項５】
副搬送波のCINRは、受信した通信信号の単一の多重搬送波符号の周波数に亘って平均化される請求項４記載の方法。
【請求項６】
副搬送波のCINRは、受信した通信信号の多数の多重搬送波符号に対する時間に亘って平均化される請求項４記載の方法。
【請求項７】
副搬送波のCINRは、少なくとも無線サブスクライバーの空間的に分離したアンテナで受信した多数の多重搬送波符号に対する時間及び周波数の一つで平均化される請求項４記載の方法。
【請求項８】
無線サブスクライバーは、技術間ハンドオフがトリガーされるならば、第１の技術無線通信を終了するステップを備える請求項１記載の方法。
【請求項９】
技術間ハンドオフがトリガーされるときに、受信される第１の技術通信信号が後どのくらい必要かについての時間（ｔ）を評価するステップをさらに備える請求項１記載の方法。
【請求項１０】
評価時間（ｔ）内に第２の技術無線通信を起動するステップをさらに備える請求項９記載の方法。
【請求項１１】
評価時間（ｔ）は、既定の基準値（閾値）の値に依存する請求項９記載の方法。
【請求項１２】
評価時間（ｔ）は、ルックアップテーブル内の値が、受信した信号の信号品質を平均化するために用いられる平均化パラメーターに基づいているルックアップテーブルにアクセスすることにより決定される請求項１１記載の方法。
【請求項１３】
第１の技術無線通信の終了をコントロールし、第２の技術無線通信の起動をコントロールする接続マネージャーを備え、前記終了と前記起動のタイミングが、前記第１の技術信号が受信される予測時間量及び第２の技術無線通信信号をスキャンするために前記第２の技術無線通信に必要な時間に依存している接続マネージャーによりコントロールすることができる請求項１記載の方法。
【請求項１４】
第２の技術無線通信信号をスキャンするために第２の技術に必要な時間の評価は、第２の技術無線通信信号が無線サブスクライバーによって最後に受信されてからどのくらいの時間が経過しているかを決定するステップを備える請求項１３記載の方法。
【請求項１５】
既定の基準値（閾値）は、無線サブスクライバーの移動に基づき適応して選択される請求項１記載の方法。
【請求項１６】
無線サブスクライバーの移動は、のドップラー偏移に基づいて評価される請求項１５記載の方法。
【請求項１７】
第１の技術通信信号を受信するための第１の無線技術の無線通信と、第２の技術通信信号を受信するための第２の無線技術の無線通信と、サービス基地局から受信した第１の技術通信信号の信号品質を評価するコントローラーと、サービス基地局から受信した通信信号の信号品質及び各隣接基地局から受信した通信信号の信号品質の機能に基づき技術間ハンドオフをトリガーするための手段とを備え、前記コントローラーは、サービス基地局から隣接基地局の情報を受信し、隣接基地局の情報に基づき、前記コントローラーは各隣接基地局から受信した第１の技術通信信号の信号品質を評価する無線サブスクライバー。
【請求項１８】
サービス基地局から受信した通信信号の信号品質及び各隣接基地局から受信した通信信号の信号品質の機能に基づく技術間ハンドオフのトリガーは、サービス基地局から受信した通信信号の信号品質及び各隣接基地局から受信した通信信号の信号品質の全てが既定の基準値（閾値）を下回る場合には、技術間ハンドオフをトリガーすることを備えた請求項１７記載の無線サブスクライバー。
【請求項１９】
第１の技術無線通信の終了をコントロールし、第２の技術無線通信の起動をコントロールする接続マネージャーを備え、前記終了と前記起動のタイミングが、前記第１の技術信号が受信される予測時間量及び第２の技術無線通信信号をスキャンするために前記第２の技術無線通信に必要な時間に依存している接続マネージャーによりコントロールすることができる請求項１７記載の無線サブスクライバー。
【請求項２０】
受信した通信信号は、多重搬送波信号であり、通信信号の評価された信号品質は、受信した通信信号の副搬送波のCINRの平均化をインクルードする請求項１７記載の無線サブスクライバー。
【発明の詳細な説明】
【技術分野】
【０００１】
記載されている実施態様は、概して、無線通信に係わり、より詳しくは無線サブスクライバーの技術間ハンドオフに関する。
【背景技術】
【０００２】
図１は、重なり合う受信地域を提供する２つの異なった無線技術システムを示す。
即ち、無線サブスクライバー１１０は、（１２０，１２２、１２４等）のいくつかの位置において、同時に双方の技術形式から無線通信信号を受信することができる。（１２１、１２３、１２５等）の他の位置においては、無線サブスクライバー１１０は、技術形式の唯一つから無線通信信号を単に受信することができる。
【０００３】
２ヶ所以上の無線技術通信信号が利用可能であるとき、無線サブスクライバー１１０は、望ましくは、経験上、最良の無線サブスクライバーをもたらす無線技術信号形式の受信状態を選択する。
【０００４】
２ヶ所以上の無線技術通信信号が利用可能であるとき、無線サブスクライバー１１０は、望ましくは、経験上、最良の無線サブスクライバーをもたらす無線技術信号形式の受信状態を選択する。
【０００５】
典型的な技術形式は、ＷｉＭＡＸ（Worldwide Interoperability for Microwave Access）及びＣＤＭＡ（符号分割多重接続：Code Division Multiple Access）を含む。
【０００６】
これらの典型的な技術形式に関して、一つの技術形式が無線サブスクライバー１１０のユーザーにとってより望ましい状態が存在する。例えば、ＣＤＭＡ無線信号は、より幅広く展開され、それ故、無線サブスクライバー１１０によってより一般に受信される可能性がある。
【０００７】
しかしながら、ＷｉＭＡＸ無線信号は、基本的により広い帯域幅（より大きなスループット）を提供するため、それ故、受信可能なときに２つの技術形式のうちからより良い選択をすることができる。
【０００８】
無線サブスクライバーは、受信可能なときにはＷｉＭＡＸ信号を受信することができ、それから、ＣＤＭＡ信号のみが利用可能であるときにはＣＤＭＡ信号を受信することができる。
【０００９】
無線通信信号を受信するために、無線サブスクライバーは、無線通信信号の技術形式に適している無線通信をインクルードしなければならない。
【００１０】
例えば、ＷｉＭＡＸ無線通信は、ＷｉＭＡＸ信号を受信するために必要とされ、ＣＤＭＡ無線通信は、ＣＤＭＡ信号を受信するために必要である。
【００１１】
モバイル・サブスクライバーは、一般的には、バッテリーで動作し、モバイル・サブスクライバーが動作するために必要とされる電力を最小限に抑えることが望ましい。
【００１２】
即ち、例えば、ＷｉＭＡＸ及びＣＤＭＡ無線通信の双方をインクルードするモバイル・サブスクライバーに対しては、双方の無線通信の動作時間を最小限に抑えることが望ましい。
【００１３】
異なる無線技術間の現在の無線ハンドオフは、ネットワーク制御される。即ち、モバイル・サブスクライバーは、技術ハンドオフが生じていることを示すネットワークからのプロトコル・メッセージを受信する。
【００１４】
その手順は、一般に、メイク・ビフォア・ブレーク（MBB：make before break）ハンドオフを含む。さらに具体的には、モバイル・サブスクライバーは、他の技術形式とリンク（接続）している間に、一つの技術形式とリンク（接続）を確立しなければならない。
【発明の概要】
【発明が解決しようとする課題】
【００１５】
前述の通り、異なる形式の無線技術に同時に存在する接続は、モバイル・サブスクライバーの使用可能な多重無線通信を必要とし、これは、モバイル・サブスクライバーによる過剰な電力消費を必要とする。
【００１６】
無線サブスクライバーの電力消費を最小に抑える技術間の選択とハンドオフを提供し、異なる形式の無線技術を用いて無線接続間の待ち時間を最小にすることは、無線サブスクライバー及び無線サブスクライバーを動作する方法に対して望ましい。
【課題を解決するための手段】
【００１７】
一つの実施態様は、技術間のハンドオフをトリガーする無線サブスクライバー・ユニットの方法を含む。サービス基地局から受信した最初の技術通信信号の信号品質は、評価される。
【００１８】
隣接する基地局の情報は、サービス基地局から受信される。隣接する基地局の情報に基づいて、隣接する基地局のそれぞれから受信した最初の技術通信信号の信号品質は、評価される。
【００１９】
技術間ハンドオフは、サービス基地局から受信した通信信号の信号品質及び隣接する基地局のそれぞれから受信した通信信号の信号品質の機能に基づいてトリガーされる。
【００２０】
他の実施態様は、無線サブスクライバーを含む。無線サブスクライバーは、第１の技術通信信号を受信するための第１の無線技術の無線通信及び第２の技術通信信号を受信するための第２の無線技術の無線通信をインクルードする。
【００２１】
コントローラーは、一つのサービス基地局から受信した第１の技術通信信号の信号品質を評価する。
【００２２】
このコントローラーは、そのサービス基地局から隣接する基地局の情報を受信し、その隣接する基地局の情報に基いて、コントローラーは、隣接する各基地局から受信した第１の技術通信信号の信号品質を評価する。
【００２３】
技術間ハンドオフは、一つのサービス基地局から受信した通信信号の信号品質及び隣接する各基地局から受信した通信信号の信号品質の機能に基いてトリガーされる。
【００２４】
記載されている実施態様の他の特徴及び利点は、添付図面と併せて、一例として記載された実施態様の原理を説明する以下の詳細な説明から明らかになるであろう。
【発明の効果】
【００２５】
モバイル・サブスクライバーの無線技術間ハンドオフをコントロールするための方法及び装置において、一つの技術の終了のタイミングが、他の技術の起動を伴う時間内に調整される無線技術形式間のハンドオフが提供され、この調整は、技術間の重複時間量をコントロールし、異なる無線通信技術を用いて通信を提供する無線通信をインクルードする無線サブスクライバーによって消費される電力の最小化を可能にする。
【図面の簡単な説明】
【００２６】
【図１】二つ以上の無線通信技術の形式により、少なくともある程度の無線受信地域を含むエリアを示す。
【図２】技術間ハンドオフをトリガーする無線サブスクライバー・ユニットの方法のステップの一例のフローチャートを示す。
【図３】サブスクライバー及び隣接する第１の技術基地局と交信している第１の無線技術基地局の一例を示す。
【図４】二つ以上の形式の無線技術を用いて通信信号を受信することができる無線サブスクライバー・ユニットの一例（Ａ）及び二つ以上の形式の無線技術を用いて通信信号を受信することができる無線サブスクライバー・ユニットの他の例（Ｂ）を示す。
【図５】多重搬送波符号を含む典型的なダウンリンク・サブフレームを示す。
【図６】異なる無線通信技術を終了及び起動する一例を示す時系列である。
【図７】ＣＤＭＡ技術ハンドオフに対するＷｉＭＡＸのステップの一例をインクルードするフローチャートである。
【図８】ＷｉＭＡＸ技術ハンドオフに対するＣＤＭＡのステップの一例をインクルードするフローチャートである。
【発明を実施するための形態】
【００２７】
記載されている実施態様は、モバイル・サブスクライバーの無線技術間ハンドオフをコントロールするための方法及び装置を含む。
【００２８】
モバイル・サブスクライバーは、自立的に（即ち、ネットワーク・コントロールを伴わずに）ハンドオフを形成することができる。このコントロールは、一つの技術の終了のタイミングが、他の技術の起動を伴う時間内に調整される無線技術形式間のハンドオフを提供する。
【００２９】
この調整は、技術間の重複時間量をコントロールし、異なる無線通信技術を用いて通信を提供する無線通信をインクルードする無線サブスクライバーによって消費される電力の最小化を可能にすることを試みる。
【００３０】
図２は、技術間ハンドオフをトリガーする無線サブスクライバー・ユニットの方法のステップの一例のフローチャートを示す。
【００３１】
第１のステップ２１０は、サービス基地局から受信した第１の技術通信信号の信号品質を評価することをインクルードする。
【００３２】
第２のステップ２２０は、サービス基地局から隣接する基地局の情報を受信することをインクルードする。
【００３３】
第３のステップ２３０は、隣接する基地局の情報に基いて、各隣接基地局から受信した第１の具術通信信号の信号品質を評価することをインクルードする。
【００３４】
第４のステップ２４０は、サービス基地局から受信した通信信号の信号品質及び各隣接基地局から受信した通信信号の信号品質の機能に基いて技術間ハンドオフをトリガーすることをインクルードする。
【００３５】
第１の技術通信信号は、例えば、ＷｉＭＡＸ通信信号である。第２の技術通信信号は、例えば、ＣＤＭＡ通信信号である。しかしながら、第１及び第２の技術通信信号が何等かの特定の技術信号又は何等かの特定のハンドオフ・シーケンスに限定されるものではない。
【００３６】
一つの実施態様では、サービス基地局から受信した通信信号の信号品質及び各隣接基地局から受信した通信信号の信号品質の機能に基き技術間ハンドオフをトリガーすることは、もしサービス基地局から受信した通信信号の信号品質及び各隣接基地局から受信した通信信号の信号品質が、全て既定の基準値（閾値）以下に下回るならば、技術間ハンドオフをトリガーすることをインクルードする。
【００３７】
即ち、無線サブスクライバーは、サービス基地局から受信した第１の技術通信信号の信号品質をモニターし、各隣接基地局から受信した第１の技術通信信号の信号品質をモニターする。
【００３８】
この実施態様では、第１の技術通信信号の全ての信号品質が、信号品質の基準値（閾値）以下に下回るならば、技術間ハンドオフがトリガーされる。
【００３９】
この実施態様は、無線サブスクライバーが、サービス基地局から隣接する基地局の一つへ単に無線ハンドオフを実行することがないように、サービス基地局及び隣接基地局の信号品質を評価する。
【００４０】
即ち、第１の技術無線通信を提供することができる全ての基地局が、もはや利用できないため、技術ハンドオフが無線接続を維持する必要があるかどうかを評価する。技術間ハンドオフは、第２の技術無線通信信号が利用可能であることを推測する。
【００４１】
通信信号の信号品質は、例えば、CINR（信号対干渉雑音比：carrier to interference and noise ratio）又は通信信号のRSSI（受信信号強度インジケーター：received signal strength indicator）によって特徴付けられる。
【００４２】
一つの実施態様は、多重搬送波信号例えば、OFMD（直交周波数分割多重：Orthogonal Frequency-Division Multiplexing）信号である通信信号をインクルードする。さらに、評価された通信信号の信号品質は、受信した通信信号の各副搬送波のCINRを平均化することをインクルードすることができる。
【００４３】
一つの実施態様では、この副搬送波のCINRは、受信した通信信号の単一の多重搬送波符号の周波数で平均化される。他の実施態様では、この副搬送波のCINRは、受信した通信信号の多数の多重搬送波符号の周波数で平均化される。
【００４４】
他の実施態様では、この副搬送波のCINRは、少なくとも、無線サブスクライバーの空間的に分離したアンテナで受信した多数の多重搬送波符号に対する時間及び周波数の一つで平均化される。
【００４５】
無線サブスクライバーが、技術間ハンドオフをトリガーするときは、無線サブスクライバーが、第１の技術無線信号を受信する可能性をほとんど失っていることを検出し、それ故、第２の技術無線信号を受信することを起動すべきであることを意味している。
【００４６】
そのようなものとして、一つの実施態様は、もし、技術間ハンドオフがトリガーされるならば、第１の技術無線通信を終了することを無線サブスクライバーにインクルードする。
【００４７】
異なる技術の無線通信が、同時に動作している時間量を最小限に抑えるために、第１の技術無線通信の終了のタイミングは、第２の技術無線通信の起動に対してコントロールされる。
【００４８】
一つの実施態様は、技術間ハンドオフがトリガーされるときに、受信される第１の技術通信信号が後どのくらい必要かについての時間（ｔ）を評価することをインクルードする。
【００４９】
この実施態様は、さらに、無線サブスクライバーが評価時間（ｔ）内に第２の技術無線通信を起動することをインクルードする。
【００５０】
この評価時間は、既定の基準値によって決められる。
【００５１】
記載されるように、一つの実施態様は、既定の基準値以下に下がっている（供給基地局及び隣接基地局の双方からの）第１の技術無線信号の信号品質に基づいて、時間（ｔ）を評価することをインクルードする。
【００５２】
一つの実施態様では、評価時間（ｔ）は、ルックアップテーブル内の値が、受信した信号の信号品質を平均化するために用いられる平均化パラメーターに基づいているルックアップテーブルにアクセスすることにより決定される。
【００５３】
このルックアップテーブルは、事前の実験とシミュレーションによって作成することができる。
【００５４】
記載され、また示されるように、一つの実施態様は、第１の技術無線通信の終了をコントロールし、第２の技術無線通信の起動をコントロールする接続マネージャーをインクルードする。そこでは、この終了と起動のタイミングが、第１の技術信号が受信される予測時間量及び第２の技術無線通信信号をスキャンするために第２の技術無線通信に必要な時間に依存している接続マネージャーによりコントロールすることができる。
【００５５】
コントロール・マネージャーは、無線サブスクライバー内にインクルードされるか、又は無線サブスクライバーとインターフェースで接続する独立ユニット内にンクルードされる。
【００５６】
述べたように、第２の技術無線信号をスキャンするために第２の技術無線通信に必要な時間は、評価される。この評価は、第２の技術無線通信信号が無線サブスクライバーによって最後に受信されてからどのくらいの時間が経過しているかを決定することにより影響される。
【００５７】
さらに具体的には、この評価は、どのくらい前に第２の技術の特定の搬送波周波数が直近に使用されたかにより影響される。
【００５８】
もし、第２の技術無線通信信号を最後に受信してから十分に長い時間が経過しているならば、その無線サブスクライバーは、「コールド・スキャン」を実行する必要があるかもしれない。
【００５９】
しかしながら、最近受信しているならば、無線サブスクライバーは、直近に受信した搬送波周波数を得る可能性がさらに高くなる。
【００６０】
従って、第２の技術をスキャンするための時間は、無線サブスクライバーが第２の技術信号をどのくらい最近受信したかに対応して多かれ少なかれ依存する。
【００６１】
記載されているように、評価時間（ｔ）は、無線サブスクライバーがハンドオフ・トリガー後に第１の技術通信信号を後どの位受信することができるかの評価を反映している。
【００６２】
同様に記載されているように、一つの実施態様は、（トリガーを引き起こす）既定の基準値以下に下がっている信号品質を有する受信した第１の技術無線信号に基づく評価（ｔ）をインクルードする。
【００６３】
無線サブスクライバーの移動は、無線サブスクライバーが、受信信号が既定の基準値以下に下がった後で、第１の技術信号を受信することができる時間量に影響を及ぼす。
【００６４】
一つの実施態様は、無線サブスクライバーの移動に基づき適応して選択された既定の基準値をインクルードする。無線サブスクライバーの移動は、例えば、無線サブスクライバーのドップラー偏移に基づいて評価される。
【００６５】
図３は、サブスクライバー３２０と交信している第１の無線技術基地局３１０の例及び、同様に、隣接する第１の技術基地局３３２、３３４、３３６を示す。
【００６６】
サブスクライバー３２０は、隣接基地局のリストを保持しているサービス基地局から隣接基地局３３２、３３４、３３６のリストを得る。一般に、サービス基地局３１０は、サブスクライバー３２０が、現在無線通信を維持している基地局である。
【００６７】
隣接する基地局３３２、３３４、３３６は、例えば、サブスクライバー３２０が物理的に異なる位置に移動するときに、サブスクライバー３２０がハンドオフする最も近い基地局である。
【００６８】
サブスクライバー３２０は、（無線リンク３４２を通じて）サービス基地局３１０から受信した無線信号の信号品質をモニターする。
【００６９】
さらに、サブスクライバーは、（無線リンク３４４、３４６、３４８を通じて）隣接基地局３３２、３３４、３３６から受信した無線信号の信号品質をモニターする。
【００７０】
基地局３１０、３３２、３３４、３３６の全てから受信した第１の技術無線信号の信号品質に基づいて、サブスクライバー３２０は、技術間ハンドオフがトリガーされるべきかどうかを決定する。
【００７１】
技術間ハンドオフが開始されるべきかどうかの決定においては、サブスクライバーが、ただ単にサービス基地局３１０だけでない信号品質を評価することが望ましい。
【００７２】
即ち、もし、技術間ハンドオフの決定において、サービス基地局の信号品質だけが評価されるならば、同一の技術ハンドオフが正しく特定又は評価されない可能性がある。
【００７３】
一般に、基地局は、それぞれ特定の地理的位置に物理的に固定されている。従って、各基地局は、その隣接基地局の以前の情報を持つことができる。明らかに、隣接基地局のリストは、新しい基地局が追加され、又は古い基地局が削除されるように変更することができる。
【００７４】
図４（Ａ）は、２以上の形式の無線技術（例えば、ＷｉＭＡＸ及びＣＤＭＡ）を用いた通信信号を受信することができる無線サブスクライバー・ユニット４１０の一例を示す。
【００７５】
無線サブスクライバー・ユニット４１０は、無線サブスクライバー・ユニット４１０が、異なる技術形式に従って通信信号を受信し、送信することができる少なくとも第１のモデム４２０及び第２のモデム４３０を含む。
【００７６】
モデム４２０、４３０は、対応する技術形式の無線通信及び制御回路をインクルードすることができる。この実施態様では、技術ハンドオフ・トリガーが無線サブスクライバー４１０内にインクルードされる。
【００７７】
一つの実施態様は、モデム４２０、４３０内にインクルードされている技術ハンドオフ・トリガー処理を含む。他の実施態様は、サブスクライバー４１０内に位置するプロセッサー４４０内にインクルードされているが、必ずしもモデム４２０、４３０内にインクルードされていない技術ハンドオフ・トリガー処理を含む。
【００７８】
図４（Ｂ）は、２以上の形式の無線技術を用いて通信信号を受信することができる無線サブスクライバー・ユニット４１２の他の一例を示す。
【００７９】
この実施態様では、少なくとも、技術ハンドオフ・トリガー処理の一部が、サブスクライバー・ユニット４１２の外部に位置する。
【００８０】
このサブスクライバー・ユニット４１２は、外部処理装置４５０にインターフェイス４６０を通じて接続される。インターフェイス４６０は、例えば、ＵＳＢ（Universal Serial Bus）であり、また、例えば、処理装置４５０はラップトップ・コンピューターである。
【００８１】
サブスクライバー・ユニット４１２は、モデム４２２、４３２及びプロセッサー４４２を含む。
【００８２】
図５は、多重搬送波符号を含む典型的なダウンリンク・サブフレームを示す。このダウンリンク・サブフレームの実施態様は、３３多重搬送波符号（２９データ符号）を含み、各多重搬送波符号は、１０２４副搬送波（７００データ副搬送波）を含む。
【００８３】
記載されるように、（サービス基地局及び／又は隣接基地局からの）受信信号の信号品質は、各副搬送波の信号品質を平均化することをインクルードする。
【００８４】
この平均化は、周波数又は多重符号の多重搬送波（即ち、時間に亘って平均化された）に亘って平均化された副搬送波を含む。
【００８５】
さらに、マルチアンテナ・サブスクライバーは、多数の空間的に分離した多重搬送波信号を受信することができる。多重搬送波に亘って平均化される信号品質は、さらに又はその代わりに、空間的に分離した信号から副搬送波の平均化を含む。
【００８６】
図６は、異なる無線通信技術を終了及び起動する一例を示す時系列である。この時系列の第１の部分６１０は、サブスクライバーの第１の技術無線通信が起動していることを示す。
【００８７】
技術間ハンドオフ６２０は、第１の技術信号の状態が既定の基準値以下に下回ると、サブスクライバーによってトリガーされる。
【００８８】
トリガー６２０後のある時点で、第２の技術無線通信は、第２の無線技術スキャンが開始６３０できるように変更される。
【００８９】
第１の技術無線通信が停止６４０される時まで、動作部分６８０は、第１の技術無線通信及び第２の技術無線通信の双方とも通信可能状態にあって存続する。
【００９０】
第２の無線通信は、そのスキャンを完了６５０し、それから第２の無線通信が開始６７０されると同時に第２の技術基地局と交信する。
【００９１】
前述の時間（ｔ）は、トリガー６２０及び第１の技術信号がサブスクライバーによって受信されることがない予測時６６０の間の時間として、図６において認められる。
【００９２】
図６は、双方の無線技術形式のサブスクライバー内の無線通信が通信可能状態にある部分６８０を示す。サブスクライバーの電力消費を少なくするために、この部分の時間を最小限に抑えることが望ましい。
【００９３】
しかしながら、この部分の時間は、第２の技術が、利用可能な異なる無線技術を用いて通信しているサブスクライバー間の待ち時間への影響を最小限にするのに十分に機能することができる長さであるべきである。
【００９４】
図７は、第１の技術無線通信信号（例えば、ＷｉＭＡＸ）から第２の技術無線通信信号（例えば、ＣＤＭＡ）へのハンドオフを管理するモバイル・サブスクライバーの方法のステップの一例をインクルードするフローチャートである。
【００９５】
第１のステップ７１０は、例えば、第１の技術を使用する基地局と無線接続しているモバイル・サブスクライバーをインクルードする。
【００９６】
第２のステップ７２０は、データ・トラフィック通信、例えば、ハンドオフ及び／又はアイドル・モード接続などの標準的な無線通信をインクルードする。
【００９７】
第３のステップ７３０は、例えば、第１の技術無線受信地域から外れている場合、技術間ハンドオフ・トリガーを開始することをインクルードする。
【００９８】
第４のステップ７４０は、第１の技術無線受信地域（受信）から外れている（基準値より下である）場合、第２の技術無線信号のスキャンを開始することをインクルードする。
【００９９】
第５のステップ７５０は、第１の技術無線通信の電力を下げる、即ち、例えば、第１の技術無線通信を終了することによって、サブスクライバーが低電力状態に入るーことの開始をインクルードする。
【０１００】
第６のステップ７６０は、例えば、第２の技術無線信号の受信信号強度の機能が基準値より上にあることを決定することにより、第２の技術無線信号の利用可能性を探知することをインクルードする。
【０１０１】
第７のステップ７７０は、例えば、第２の技術無線信号の品質が十分に高ければ、
無線サブスクライバーが第２の技術の基地局に接続することをインクルードする。
【０１０２】
第８のステップ７８０は、無線サブスクライバーが未だに第２の技術範囲外にあるかどうかを決定するために、第２の技術のスキャンの開始をインクルードする第９のステップ７９０を実行する前にＹ（既定の待ちサイクル）を待つことをインクルードする。
【０１０３】
ステップ７８０及び７９０は、第２の技術無線信号が受信されるまで繰り返される。
【０１０４】
図８は、第２の技術通信信号（例えば、ＣＤＭＡ）から第１の技術無線通信信号（例えば、ＷｉＭＡＸ）へのハンドオフを管理するモバイル・サブスクライバーの方法のステップの一例をインクルードするフローチャートである。
【０１０５】
第１のステップ８１０は、無線サブスクライバーが、第２の技術無線信号を通じて、例えば、第２の技術基地局への接続を維持することをインクルードする。
【０１０６】
第２のステップ８２０は、例えば、トラフィック及びハンドオフ通信等の標準的な第２の技術動作をインクルードする。
【０１０７】
第３のステップ８３０は、サブスクライバーが休止状態にあるかどうかを決定することをインクルードする。
【０１０８】
これは、第２の技術から第１の技術へのサブスクライバーの移行が、通信状態にない動作不能時間（休止状態）中に生じているならば、なおさらユーザーフレンドリーであるので、非常に有用である。
【０１０９】
即ち、サブスクライバーが、例えば、第２の技術無線通信信号を通じて基地局と現在交信していない状態にある。
【０１１０】
第４のステップ８４０は、第１の技術信号のスキャンの可用性が開始されてきてからどのくらい経過しているかをチェックすることをインクルードする。
【０１１１】
この第４のステップは、基準値（閾値）時間（Ｚ）を超えるまで繰り返される。一度、超えると、第１の技術信号の信号品質が十分に良いかどうかチェックすることをインクルードする第５のステップ８５０が、実行される。
【０１１２】
さらに具体的には、一つの実施例は、送信信号電力とRSSI（受信信号強度インジケーター：received signal strength indicator）間の差が基準値Ｃ未満であるかどうかを決定することをインクルードする。
【０１１３】
このRSSIが大きければ大きいほど、受信した第１の技術無線信号の信号品質も良好になる。もし、この信号品質が十分に良ければ、第６のステップ８６０が、第１の技術信号の低電力スキャンを実行することをインクルードする。
【０１１４】
もし、第６のステップ８６０のスキャンが成功すれば、第７のステップ８７０が、第２の技術サーチが成功したかどうかを決定することをインクルードする。
【０１１５】
もし、「yes」であれば、第８のステップ８８０は、第２の技術無線通信を低電力モードにすることを加入者にインクルードし、第９のステップ８９０は、例えば、第１の技術無線信号を用いて、サブスクライバーが基地局と無線で接続することをインクルードする。
【０１１６】
第３のステップ８３０からの別の方向は、サブスクライバーが第２の技術無線信号の接続性を失うことをインクルードする第１０のステップ８４２をインクルードする。
【０１１７】
第１１のステップ８５２は、サブスクライバーを第２の技術無線通信を低電力モードにすることをインクルードする。
【０１１８】
第１２のステップ８６２は、サブスクライバーが、第１の技術信号を最初にスキャンし、それから第２の技術信号をスキャンするスキャン手段を開始することをインクルードする。
【０１１９】
特定の実施態様が記載され、説明されてきたけれども、これらの実施態様は、その特定の実施態様又はそのように記載され、説明された部分の配列に限定されるものではない。
【産業上の利用可能性】
【０１２０】
無線サブスクライバーの電力消費を最小に抑える技術間の選択とハンドオフを提供し、異なる形式の無線技術を用いて無線接続間の待ち時間を最小にすることができる。
【符号の説明】
【０１２１】
１１０、３２０  無線サブスクライバー
１２０，１２２、１２４  無線サブスクライバーの位置  
１２１、１２３、１２５  無線サブスクライバーの他の位置
２１０、７１０、８１０  第１のステップ
２２０、７２０、８２０  第２のステップ
２３０、７３０、８３０  第３のステップ
２４０、７４０、８４０  第４のステップ
３１０  サービス基地局
３３２、３３４、３３６  隣接基地局
３４２、３４４、３４６、３４８  無線リンク
４１０、４１２  無線サブスクライバー・ユニット
４２０、４３０、４２２、４３２  モデム
４４０  プロセッサー
４４２  プロセッサー
４５０  外部処理装置
４６０  インターフェイス
６１０  時系列の第１の部分
６２０  技術間ハンドオフ（トリガー）
６３０  第２の無線技術スキャン
６４０  第１の技術無線通信が停止
６５０  スキャンの終了
６６０  予測時
６７０  スキャンの開始
６８０  双方の無線通信が通信可能状態にある部分（動作部分）
７５０、８５０  第５のステップ
７６０、８６０  第６のステップ
７７０、８７０  第７のステップ
７８０、８８０  第８のステップ
７９０、８９０  第９のステップ
８４２  第１０のステップ
８５２  第１１のステップ
８６２  第１２のステップ
ｔ  評価時間
【図１】
2010035152.tif 000003
【図２】
2010035152.tif 000004
【図３】
2010035152.tif 000005
【図４】
2010035152.tif 000006
【図５】
2010035152.tif 000007
【図６】
2010035152.tif 000008
【図７】
2010035152.tif 000009
【図８】
2010035152.tif 000010
【外国語明細書】
2010035152000001.pdf
2010035152000002.pdf
2010035152000003.pdf
2010035152000004.pdf